(57)【特許請求の範囲】
【請求項１】
第１液を収容した第１容器に外嵌め接続筒又は内嵌め接続筒を突設し、第２液を収容した第２容器に第１容器の外嵌め接続筒又は内嵌め接続筒に接続される内嵌め接続筒又は外嵌め接続筒を突設し、上記第１容器の外嵌め接続筒又は内嵌め接続筒内と第２容器の内嵌め接続筒又は外嵌め接続筒内の双方に内筒を固定し、上記双方の内筒の開口端に内筒切断部を連設し、開口端と内筒切断部との間に内筒切取り溝を形成したことを特徴とする混合容器。
【請求項２】
第１容器の外嵌め接続筒内又は第２容器の外嵌め接続筒内の何れか一方に仕切り膜を形成し、これに対向する第２容器の内嵌め接続筒又は第１容器の内嵌め接続筒の先端に上記仕切り膜の破断部を形成したことを特徴とする請求項１記載の混合容器。
【請求項３】
第２容器の後端側に膨張収縮可能な変形部を形成したことを特徴とする請求項１又は請求項２記載の混合容器。
【発明の詳細な説明】
【０００１】
【発明の属する技術分野】
本発明は、第１液を収容した第１容器に、第２液を収容した第２容器を接続して、第１液に第２液を漏洩することなく混合し得るようにした混合容器に関する。
【０００２】
【従来の技術】
例えば、医療用輸液容器は、プラスチック製の筒体、或いはプラスチック製の袋体の下端に流出口を設け、これにゴム栓を嵌合したものが一般的である。この輸液容器内の輸液に後から薬液を混合する手段としては、柔軟な素材よりなる薬液容器に形成されたテーパ状の開口部に注射針を嵌合し、この注射針を輸液容器のゴム栓に突き刺した後、薬液容器を押圧することにより、容器内の薬液を輸液容器内に注入するものが、実公平７−１７３１１号公報に開示されている。
【０００３】
このように、注射針を薬液容器に取付けて輸液容器内に薬液を注入する方式では、その操作上外気に触れる時間が相当長くなり、注射針に万一細菌等が付着するときは、これが薬液とともに輸液内に注入されることとなり、また、注射針の使用により、作業に手間が掛かったり、誤操作により針を刺してしまう事故の原因となったり、使用済の針を医療廃棄物として処理する場合の安全性が担保できない等の問題点があった。
【０００４】
そこで輸液容器に内嵌め接続筒を設け、その先端に連設した切断部を離脱することにより接続筒の先端を開口させ、これに薬液容器に設けた外嵌め接続筒を嵌合して薬液を直接輸液容器内に注入する混合容器が考えられる。
【０００５】
しかし、上記混合容器は、輸液容器の内嵌め接続筒に薬液容器の外嵌め接続筒を接続する際に、薬液を零し易い欠点があった。これによって、薬液が輸液容器の周囲に付着して、衛生上好ましくない事態が生じてしまう。
【０００６】
【発明が解決しようとする課題】
本発明はこのような点に基づいてなされたものでその目的とするところは、一つの容器内の液体と別の容器内の液体を漏洩することなく安心して混合することができる混合容器を提供することにある。
【０００７】
【課題を解決するための手段】
上記目的を達成するべく本発明の請求項１記載の混合容器は、第１液を収容した第１容器に外嵌め接続筒又は内嵌め接続筒を突設し、第２液を収容した第２容器に第１容器の外嵌め接続筒又は内嵌め接続筒に接続される内嵌め接続筒又は外嵌め接続筒を突設し、上記第１容器の外嵌め接続筒又は内嵌め接続筒内と第２容器の内嵌め接続筒又は外嵌め接続筒内の双方に内筒を固定し、上記双方の内筒の開口端に内筒切断部を連設し、開口端と内筒切断部との間に内筒切取り溝を形成したことを特徴とするものである。
【０００８】
また、本発明の請求項２記載の混合容器は、請求項１記載の混合容器において、第１容器の外嵌め接続筒内又は第２容器の外嵌め接続筒内の何れか一方に仕切り膜を形成し、これに対向する第２容器の内嵌め接続筒又は第１容器の内嵌め接続筒の先端に上記仕切り膜の破断部を形成したことを特徴とするものである。
【０００９】
また、本発明の請求項３記載の混合容器は、請求項１又は請求項２記載の混合容器において、第２容器の後端側に膨張収縮可能な変形部を形成したことを特徴とするものである。
【作用】
【００１０】
まず、請求項１の混合容器の場合には、外嵌め接続筒と内嵌め接続筒とを接続した後、第１容器の外嵌め接続筒又は内嵌め接続筒内に固定した内筒の開口端に連設した内筒切断部を接続筒とともに折り曲げて接続筒の開口端を開口させ、第２容器の内嵌め接続筒又は外嵌め接続筒内に固定した内筒の開口端に連設した内筒切断部を接続筒とともに折り曲げて接続筒の開口端を開口させることにより、第２容器の第２液を、第１容器の第１液に零すことなく混合するのである。
【００１１】
次に、請求項２の混合容器の場合には、外嵌め接続筒と内嵌め接続筒とを接続すると同時に、内嵌め接続筒の先端に形成した破断部により、外嵌め接続筒内に設けた仕切り膜を破断して両方の接続筒を連通させ、第２容器の第２液を、第１容器の第１液に零すことなく混合するのである。
【００１２】
次に、請求項３の混合容器の場合には、第２容器の後端側に膨張収縮可能な変形部を形成したものであり、第１容器の外嵌め接続筒又は内嵌め接続筒に第２容器の内嵌め接続筒又は外嵌め接続筒を接続する際、第２容器内は負圧になっており、零すことなく接続することが可能である。そして、外嵌め接続筒と内嵌め接続筒とを接続後は、第２容器の後端側に形成した膨張収縮可能な変形部を押圧することによって、第２容器の第２液を、第１容器の第１液に零すことなく混合するのである。
【００１３】
【発明の実施の形態】
以下、図１〜図３を参照して本発明の第１の参考例を説明する。図１は第１容器である袋状の輸液容器と第２容器である薬液容器とを接続した状態の縦断正面図であり、図２は同上接続状態の要部を示す縦断面図である。
【００１４】
輸液１を収容した袋状の輸液容器２はポリプロピレン、ポリエチレン、ポリ塩化ビニール等のプラスチック製であり、内部の液体の増加減少に応じて膨張収縮し得る柔軟性を有するものである。この輸液容器２は、上端中央部に吊持片３を突設し、これに引掛け孔４を穿設している。
【００１５】
上記輸液容器２の吊持片３の側方位置には、後記する薬液容器の内嵌め接続筒を接続する筒状の外嵌め接続筒５を突設している。尚、外嵌め接続筒５の取付け位置や方向は任意である。上記外嵌め接続筒５は、輸液容器２を貫通し、その内側開口端５ａを輸液容器２内に、外側開口端５ｂを輸液容器２の上方にそれぞれ開口している。この外側開口端５ｂの内側には、後記する薬液容器の接続筒を接続するテーパ壁面を形成している。また、上記外側開口端５ｂは適宜の方法により密封し、これを開封して使用するものである。
【００１６】
一方、薬液６を収容した薬液容器７は、上記輸液容器２と同様に、ポリプロピレン、ポリエチレン、ポリ塩化ビニール等のプラスチック製であり、柔軟に形成している。この薬液容器７には、上記した輸液容器２の外嵌め接続筒５に接続する内嵌め接続筒８を突設している。
【００１７】
上記内嵌め接続筒８は、薬液容器７を貫通し、その内側開口端８ａを輸液容器２内に開口し、外壁面をテーパ状に形成した外側開口端８ｂを輸液容器２の上方にそれぞれ開口している。上記内側開口端８ａには切断部９を連設し、開口端８ａと切断部９との間に、開口端８ａを開口させる切取り溝１０を形成している。また、上記外側開口端８ｂは適宜の方法により密封し、これを開封して使用するものである。
【００１８】
この混合容器における輸液容器２内に薬液６を注入する場合は、外壁面をテーパ状に形成した内嵌め接続筒８の外側開口端８ａを予め開口させ、予め開口させほぼ上方に向けて配置させた外嵌め接続筒５の外側開口端５ｂ内に嵌合して外嵌め接続筒５と内嵌め接続筒８を接続した後、内嵌め接続筒８の切断部９を切取り溝１０の位置で薬液容器７とともに折り曲げることにより、内側開口端８ａを開口すれば、薬液７を外部に零すことなく輸液１に混合することができる。
【００１９】
上記混合容器における外嵌め接続筒５、及び内嵌め接続筒８は、全体を硬質に形成しても良く、外側開口端５ｂ、８ｂのみを硬質に形成しても良い。また、外嵌め接続筒５の外側開口端５ｂは弾性材により形成し、内嵌め接続筒８の外側開口端８の嵌合により、先が拡径するように形成しても良い。
【００２０】
上記混合容器は、輸液１を収容した第１容器である袋状の輸液容器２と薬液７を収容した第２容器である薬液容器８の場合を例示したが、上記輸液と薬液は、例えば糖とアミノ酸、糖と脂肪、重曹とカルシウム剤、酸性液、ブドウ糖とアルカリ性液の場合等がある。また医療用のみでなく、工業薬品等の混合容器として使用することもある。
【００２１】
また、上記混合容器にあっては、内嵌め接続筒８の内側開口端８ａに切断部９を設けたが、図３に示すように、内嵌め接続筒８の外側開口端８ｂに切断部９を設け、開口端８ｂと切断部９との間に切取り溝１０を形成し、この内嵌め接続筒９を外嵌め接続筒５に嵌合するとともに、切断部９を輸液容器２内に突出させ、輸液容器２の外側から切断部９を切取り溝１０の位置で折り曲げて内嵌め接続筒９の外側開口端８ｂを開口させることにより、薬液７を輸液１に混合することもある。その他の構成及び作用は、上記図１、図２の場合と同じであるから、その詳細は省略する。
【００２２】
更に、図４に示すように、内嵌め接続筒８の外側開口端８ｂに切断部９を設け、この内嵌め接続筒８を外嵌め接続筒５に嵌合するとともに、切断部９を外嵌め接続筒５内に位置させ、外嵌め接続筒５の外側から切断部９を切取り溝１０の位置で折り曲げて内嵌め接続筒８の外側開口端８ｂを開口させることにより、薬液７を輸液１に混合することもある。その他の構成及び作用は、上記図１、図２の場合と同じであるから、その詳細は省略する。
【００２３】
次に、図５を参照して本発明の第２の参考例を説明する。図５は第１容器２と第２容器７とを接続した状態の縦断面図である。
【００２４】
この混合容器は、第２容器７の外嵌め接続筒５の内側の開口端５ａに切断部９を設け、開口端５ａと切断部９との間に切取り溝１０を形成している。外嵌め接続筒５の外側の開口端５ｂを、予め開口させほぼ上方に向けて配置させた第１容器２の内嵌め接続筒８の外側開口端８ｂに接続させた後、この切断部９を容器７とともに折り曲げて切断することにより、内側開口端５ａを開口させ、第１容器２内の液体１に第２容器７内の液体６を混合するものである。その他の構成及び作用は、上記図１、図２の場合と同じであるから、その詳細は省略する。
【００２５】
次に、図６を参照して本発明の第３の参考例を説明する。図６は第１容器２と第２容器７を接続した状態の縦断面図である。
【００２６】
この混合容器は、第１容器２の外嵌め接続筒５の内側開口端５ａに切断部９と切取り溝１０を設けるとともに、第２容器７の内嵌め接続筒８の内側の開口端８ａに切断部９と切取り溝１０を設けている。この一方の切断部９を容器２とともに折り曲げて切断して開口端５ａを開口させ、他方の切断部９を容器７とともに折り曲げて切断して開口端８ａを開口させ、第１容器２内の溶液１に第２容器７内の溶液６を混合するものである。この場合には、第１容器２と第２容器７をどの方向に向いた状態で接続しても零す虞れがなく、方向を気にせずに接続した後に、上記の切断を行うことにより、連通させるものである。その他の構成及び作用は、上記図１、図２の場合及び図５の場合と同じであるから、その詳細は省略する。なお、本実施形態の別の混合容器としては、第１容器２に内嵌め接続筒８を、第２容器７に外嵌め接続筒５を設けても良く、この場合でも上記と同様の作用効果を奏することができる。
【００２７】
次に、図７、図８を参照して本発明の第４の参考例を説明する。上記図７及び図８は、第１容器２と第２容器７とを接続した状態の縦断面図である。
【００２８】
図７の混合容器は、第１容器２に外嵌め接続筒５を、第２容器７に内嵌め接続筒８を設け、上記内嵌め接続筒８内の中間部に内筒１１を固定し、この内筒１１の一端に設けたテーパ状の開口端１２に、内嵌め接続筒８の内径よりやや小径の内筒切断部１３を連設し、開口端１２と内筒切断部１３との間に内筒切取り溝１４を形成している。内嵌め接続筒８は軟質の材質のもの、又は硬質でも可撓性のあるものを使用する。その他の構成及び作用は、上記図１、図２の場合と同じであるから、その詳細は省略する。
【００２９】
この混合容器は、外壁面をテーパ状に形成した内嵌め接続筒８の外側開口端８ｂを、予め開口させほぼ上方に向けて配置させた外嵌め接続筒５の外側の開口端５ｂに接続させた後、内筒切取り溝１４の位置で内嵌め接続筒８を折り曲げることにより、内筒１１の開口端１２を開口させ、液体６を外部に零すことなく液体１に混合するものである。
【００３０】
また、図８の混合容器は、第１容器２に外嵌め接続筒５を、第２容器７に内嵌め接続筒８を設け、上記外嵌め接続筒５内に内筒１１を設け、その開口端１２を内筒切断部１３により密封し、開口端１２と内筒切断部１３との間に内筒切取り溝１４を形成している。なお、外壁面をテーパ状に形成した内嵌め接続筒８の外側に、外筒１５を設け、この外筒１５に雌ねじ１６を刻設している。また、内壁面をテーパ状に形成した外嵌め接続筒５の先端外側には、上記雌ねじ１６に螺合する突条１７を形成している。その他の構成及び作用は、上記図１、図２の場合と同じであるから、その詳細は省略する。
【００３１】
この混合容器は、外壁面をテーパ状に形成した内嵌め接続筒８の外側開口端８ｂを、予め開口させほぼ上方に向けて配置させた内壁面をテーパ状に形成した外嵌め接続筒５の外側開口端５ｂ内に挿入すると同時に、容器７又は２を回転して雌ねじ１６と突条１７とを螺合させ、両接続筒５、８をテーパ状の壁面同士の密着により緊密に接続した後、内筒切取り溝１４の位置で内嵌め接続筒８を折り曲げることにより、内筒１１の開口端１２を開口させ、液体６を外部に零すことなく液体１に混合するものである。
【００３２】
次に、図９を参照して本発明の第１の実施の形態を説明する。上記図９は、第１容器２と第２容器７とを接続した状態の縦断面図である。
【００３３】
図９の混合容器は、第１容器２に外嵌め接続筒５を、第２容器７に内嵌め接続筒８を設け、上記外嵌め接続筒５及び内嵌め接続筒８内の中間部にそれぞれ内筒１１を固定し、この内筒１１の一端に設けたテーパ状の開口端１２に、内嵌め接続筒８の内径よりやや小径の内筒切断部１３を連設し、開口端１２と内筒切断部１３との間に内筒切取り溝１４を形成している。外嵌め接続筒５及び内嵌め接続筒８は軟質の材質のもの、又は硬質でも可撓性のあるものを使用する。その他の構成及び作用は、上記図１、図２の場合と同じであるから、その詳細は省略する。
【００３４】
この混合容器は、外壁面をテーパ状に形成した内嵌め接続筒８の外側開口端８ｂを、外嵌め接続筒５の外側の開口端５ｂに接続させた後、内筒切取り溝１４の位置で外嵌め接続筒５及び内嵌め接続筒８を折り曲げることにより、内筒１１の開口端１２を開口させ、液体６を外部に零すことなく液体１に混合するものである。この場合には、第１容器２と第２容器７をどの方向に向いた状態で接続しても零す虞れがなく、方向を気にせずに接続した後に、上記の切断を行うことにより、連通させるものである。なお、本実施形態の別の混合容器としては、第１容器２に内嵌め接続筒８を、第２容器７に外嵌め接続筒５を設けても良く、この場合でも上記と同様の作用効果を奏することができる。
【００３５】
更に、図１０、図１１を参照して本発明の第２の実施の形態を説明する。上記図１０及び図１１は、第１容器２と第２容器７とを接続した状態の縦断面図である。
【００３６】
図１０の混合容器は、第１容器２に外嵌め接続筒５を、第２容器７に内嵌め接続筒８を設け、上記外嵌め接続筒５内の中間部に仕切り膜１８を形成している。その他の構成及び作用は、上記図１、図２の場合と同じであるから、その詳細は省略する。
【００３７】
この混合容器は、テーパ状に形成した内嵌め接続筒８の外側開口端８ｂを、外嵌め接続筒５の外側開口端５ｂ内に嵌合して両接続筒５、８を接続すると同時に、上記外側開口端８ｂ（破断部）により外嵌め接続筒５内の仕切り膜１８を押圧し、これを破断することにより両接続筒５、８を連通させ、容器７内の液体６を容器２内の液体に混入するものである。この場合には、第１容器２と第２容器７をどの方向に向いた状態で接続しても零す虞れがなく、接続と同時に上記の破断を行うことにより、連通させるものである。
【００３８】
また、図１１の混合容器は、第１容器２に内嵌め接続筒８を、第２容器７に外嵌め接続筒５を設け、上記外嵌め接続筒５内に仕切り膜１８を設けている。なお、外壁面をテーパ状に形成した内嵌め接続筒８の外側に外筒１５を設け、この外筒１５に雌ねじ１６を刻設している。また、内壁面をテーパ状に形成した外嵌め接続筒５の先端外側には、上記雌ねじ１６に螺合する突条１７を形成している。その他の構成及び作用は、上記図１、図２の場合と同じであるから、その詳細は省略する。
【００３９】
この混合容器は、テーパ状に形成した内嵌め接続筒８の外側開口端８ｂに、テーパ状に形成した外嵌め接続筒５の外側開口端５ｂを嵌合し、第１容器２又は第２容器７を、各々の接続筒とともに回転して雌ねじ１６と突条１７とを螺合させ、両接続筒５、８を確実に接続すると同時に、内嵌め接続筒８の先端８ｂ（破断部）により外嵌め接続筒５内の仕切り膜１８を破断することにより両接続筒５、８を連通させ、第２容器７内の液体６を第１容器２内の液体に混合するものである。この場合にも、第１容器２と第２容器７をどの方向に向いた状態で接続しても零す虞れがなく、接続と同時に上記の破断を行うことにより、連通させるものである。
【００４０】
更に、図１２を参照して本発明の第３の実施の形態を説明する。上記図１２は、第１容器２と第２容器７とを接続した状態の縦断面図である。
【００４１】
この混合容器は、第１容器２に外嵌め接続筒５を、第２容器７に内嵌め接続筒８を設けている。なお、外壁面をテーパ状に形成した内嵌め接続筒８の外側に、外筒１５を設け、この外筒１５に雌ねじ１６を刻設している。また、内壁面をテーパ状に形成した外嵌め接続筒５の先端外側には、上記雌ねじ１６に螺合する突条１７を形成している。第２容器は、それ自体を保持しても変形しない保形性を有し、内嵌め接続筒８の内径が比較的小さく形成され、内部に液体がほぼ充満している状態であり、例えばアンプル状をなすものである。その他の構成及び作用は、上記図１、図２の場合と同じであるから、その詳細は省略する。
【００４２】
この混合容器は、外壁面をテーパ状に形成した内嵌め接続筒８の外側開口端８ｂを、予め開口させほぼ上方に向けて配置させた内壁面をテーパ状に形成した外嵌め接続筒５の外側開口端５ｂ内に挿入すると同時に、容器７又は２を回転して雌ねじ１６と突条１７とを螺合させ、両接続筒５、８をテーパ状の壁面同士の密着により緊密に接続する。第１容器２の外嵌め接続筒５に第２容器７の内嵌め接続筒８を接続する際、第２容器は内嵌め接続筒８をほぼ下方に向けて配置されるが、それ自体保形性を有し、内嵌め接続筒８の内径が比較的小さく形成されているので、第２容器内は負圧になっており、第２容器７内の液体を零すことなく接続することが可能である。
【００４３】
そして、外嵌め接続筒５と内嵌め接続筒８とを接続後は、第２容器の後端側に形成した膨張収縮可能な変形部１９を押圧することよって、第２容器の第２液を、積極的に押し出し、第１容器の第１液に零すことなく混合するものである。なお、本実施形態の別の混合容器としては、第１容器２に内嵌め接続筒８を、第２容器７に外嵌め接続筒５を設けても良く、この場合でも上記と同様の作用効果を奏することができる。
【００４４】
なお、本発明は上記各実施形態のものに限定されるものではなく、その要旨を逸脱しない範囲で変更することが可能である。例えば、各実施形態において採用している内嵌め接続筒と外嵌め接続筒の接続構造は上記の各実施形態に示した複数の形態のもののいずれかに置き換えてもよく、他の接続構造としてもよい。また、切断部は、切取り溝を利用して切断部を完全に切り離すか、一部付着した状態で切り離して、両方の接続筒を連通させるように構成されていればよい。また、第１の容器には１つの接続筒を形成したものを示したが、予め複数の接続筒を形成したものでもよい。
【００４５】
【発明の効果】
本発明は、注射器とか注射針を使用することなく、第１容器に第２容器を直接接続して液体の混合を行うので、これに伴う細菌の混入、誤操作による事故等が皆無となり、取扱いが極めて容易となる。
【００４６】
しかも、本発明は、第１容器に設けた接続筒と第２容器に設けた接続筒とを零すことなく接続した状態で両方の接続筒を連通させ、第２容器の液体を第１容器に混合するため、第１容器２と第２容器７をどの方向に向いた状態で接続しても零す虞れがなく、方向を気にせずに接続した後に、上記の切断を行うことにより、連通させる液体が外部に漏洩することがなく、衛生的に混合することができる。
【図面の簡単な説明】
【図１】  第１の参考例の混合容器の一部を示す縦断正面図である。
【図２】  同上混合容器の要部を示す縦断面図である。
【図３】  第１の参考例の別の混合容器の要部を示す縦断面図である。
【図４】  第１の参考例の更に別の混合容器の要部を示す縦断面図である。
【図５】  第２の参考例の混合容器の要部を示す縦断面図である。
【図６】  第３の参考例の混合容器の要部を示す縦断面図である。
【図７】  第４の参考例の混合容器の要部を示す縦断面図である。
【図８】  第４の参考例の別の混合容器の要部を示す縦断面図である。
【図９】  第１実施形態の混合容器の要部を示す縦断面図である。
【図１０】  第２実施形態の混合容器の要部を示す縦断面図である。
【図１１】  第２実施形態の別の混合容器の要部を示す縦断面図である。
【図１２】  第３実施形態の混合容器の要部を示す縦断面図である。
【符号の説明】
１        第１液（輸液）
２        第１容器（輸液容器）
３        吊持片
４        引掛け孔
５        外嵌め接続筒
５ａ      外嵌め接続筒の内側開口端
５ｂ      外嵌め接続筒の外側開口端
６        第２液（薬液）
７        第２容器（薬液容器）
８        内嵌め接続筒
８ａ      内嵌め接続筒の内側開口端
８ｂ      内嵌め接続筒の外側開口端
９        切断部
１０      切取り溝
１１      内  筒
１２      内筒の開口端
１３      内筒切断部
１４      内筒切取り溝
１５      外  筒
１６      雌ねじ
１７      突  条
１８      仕切り膜
１９      変形部
【図１】
0004103127.tif 000002
【図２】
0004103127.tif 000003
【図３】
0004103127.tif 000004
【図４】
0004103127.tif 000005
【図５】
0004103127.tif 000006
【図６】
0004103127.tif 000007
【図７】
0004103127.tif 000008
【図８】
0004103127.tif 000009
【図９】
0004103127.tif 000010
【図１０】
0004103127.tif 000011
【図１１】
0004103127.tif 000012
【図１２】
0004103127.tif 000013